(57)【要約】      （修正有）【課題】下ヒータを用いることなく上ヒータにより被加熱物の両面を効率よく加熱できる加熱調理器を提供する。【解決手段】加熱調理器１は、被加熱物Ｆを収容する加熱室１１と、加熱室１１の上部に配置され、被加熱物Ｆを加熱するための上ヒータ（２０Ａ，２０Ｂ）と、上ヒータ（２０Ａ，２０Ｂ）から輻射された輻射熱を反射するための反射部材４０と、反射部材４０の上方に配置され、被加熱物Ｆを載置する載置面を有する載置網５０とを備える。反射部材４０は、載置面の下方に配置された矩形状の底部４１と、底部４１の対向する２つの辺から上方に延びるように設けられた側部４２とを備える。側部４２は、底部４１の２つの辺から底部４１の外側かつ斜め上方に向かって延びた傾斜部分４３を有することを特徴とする。【選択図】図３
2019020031.tif 000002
【特許請求の範囲】
【請求項１】
被加熱物を収容する加熱室と、
上記加熱室の上部に配置され、上記被加熱物を加熱するための上ヒータと、
上記上ヒータから輻射された輻射熱を反射するための反射部材と、
上記反射部材の上方に配置され、上記被加熱物を載置する載置面を有する載置網と
を備え、
上記反射部材は、
上記載置面の下方に配置された矩形状の底部と、
上記底部の対向する２つの辺から上方に延びるように設けられた側部と
を備え、
上記側部は、上記底部の上記２つの辺から上記底部の外側かつ斜め上方に向かって延びた傾斜部分を有することを特徴とする加熱調理器。
【請求項２】
請求項１に記載の加熱調理器において、
上記反射部材の上記傾斜部分は、上記底部に対して異なる角度の複数の傾斜面を有することを特徴とする、加熱調理器。
【請求項３】
請求項１又は２に記載の加熱調理器において、
上記上ヒータは、直線部を有しており、
上記直線部の長手方向と、上記反射部材の上記側部の上端の長手方向とが平行であることを特徴とする、加熱調理器。
【請求項４】
請求項１から３のいずれか１項に記載の加熱調理器において、
上記上ヒータの少なくとも一部は、上記傾斜部分の直上に位置していることを特徴とする、加熱調理器。
【請求項５】
請求項１から４のいずれか１項に記載の加熱調理器において、
上記反射部材は、トレイの上に載置可能な反射板であることを特徴とする、加熱調理器。
【請求項６】
請求項１から５のいずれか１項に記載の加熱調理器において、
上記反射部材の上記側部の上端は、上記載置面よりも上方に位置することを特徴とする、加熱調理器。
【請求項７】
請求項１から６のいずれか１項に記載の加熱調理器において、
上記加熱室の前方開口を開閉するドアが設けられており、
上記反射部材の上記側部の上端は、上記ドアの窓の上端よりも上方に位置することを特徴とする、加熱調理器。
【発明の詳細な説明】
【技術分野】
【０００１】
本発明は、加熱調理器に関する。
【背景技術】
【０００２】
従来の加熱調理器としては、加熱室の上部に設置された上ヒータと、加熱室の下部に設置された下ヒータとにより、加熱室の内部を高温にすると共に、被加熱物を輻射加熱するものがある（特許文献１参照）。また、特許文献１には、加熱室の内部に収容される角皿と、角皿の上に載置された載置網とを備え、載置網の上に置かれた被加熱物を上ヒータと下ヒータにより輻射加熱する加熱調理器が開示されている。この加熱調理器では、被加熱物の上面は、上ヒータにより輻射加熱され、被加熱物の下面は、下ヒータにより加熱された角皿により輻射加熱される。
【先行技術文献】
【特許文献】
【０００３】
【特許文献１】特開２０１２−１８０９８７号公報
【発明の概要】
【発明が解決しようとする課題】
【０００４】
しかし、上記従来の加熱調理器では、被加熱物の下面の加熱調理は、角皿が温まるまでは角皿を介した輻射加熱が行われないため、効率よく加熱調理できないという問題がある。
【０００５】
そこで、この発明の課題は、下ヒータを用いることなく、上ヒータにより被加熱物の両面を効率よく加熱できる加熱調理器を提供することである。
【課題を解決するための手段】
【０００６】
この発明の一態様に係る加熱調理器は、
被加熱物を収容する加熱室と、
上記加熱室の上部に配置され、上記被加熱物を加熱するための上ヒータと、
上記上ヒータから輻射された輻射熱を反射するための反射部材と、
上記反射部材の上方に配置され、上記被加熱物を載置する載置面を有する載置網と
を備え、
上記反射部材は、
上記載置面の下方に配置された矩形状の底部と、
上記底部の対向する２つの辺から上方に延びるように設けられた側部と
を備え、
上記側部は、上記底部の上記２つの辺から上記底部の外側かつ斜め上方に向かって延びた傾斜部分を有することを特徴とする。
【発明の効果】
【０００７】
以上より明らかなように、この発明によれば、上ヒータから輻射された輻射熱の一部が反射部材により反射し、被加熱物を下方から加熱することで、下ヒータを用いることなく上ヒータにより被加熱物の両面を効率よく加熱できる。
【図面の簡単な説明】
【０００８】
【図１】図１は、本発明に係る加熱調理器の斜視図である。
【図２】図２は、上記加熱調理器の正面から見た断面模式図である。
【図３】図３は、図２のIII-III線に沿った断面模式図である。
【図４】図４は、トレイの斜視図である。
【図５】図５は、反射板の斜視図である。
【図６】図６は、上記反射板の側面図である。
【図７】図７は、載置網の斜視図である。
【図８】図８は、上記トレイ、上記反射板、及び上記載置網の斜視図である。
【図９】図９は、上記反射板による被加熱物の輻射加熱の様子を表す概念図である。
【発明を実施するための形態】
【０００９】
以下、本発明の実施形態に係る加熱調理器を添付図面を参照して説明する。
【００１０】
［第１実施形態］
図１は、第１実施形態の加熱調理器１の斜視図である。
【００１１】
図１を参照すると、加熱調理器１は、直方体形状の本体ケーシング１０と、この本体ケーシング１０内に設けられ、前方開口１１ａを有する加熱室１１と、加熱室１１の前方開口１１ａを開閉するドア１２とを備えている。また、加熱調理器１は、上記本体ケーシング１０の上側かつ後側に排気ダクト１３が設けられており、本体ケーシング１０の前面の下部に露受容器１４が着脱可能に取り付けられている。
【００１２】
ドア１２は、本体ケーシング１０の前面側に下側の辺を軸に回動可能に取り付けられている。このドア１２の前面(加熱室１１とは反対側の表面)には、耐熱性を有する透明な窓１５が設けられている。また、ドア１２は、窓１５の上側に位置するハンドル１６と、窓１５の右側に設けられた操作パネル１７とを有している。
【００１３】
操作パネル１７は、カラー液晶表示部１８と、操作部１９とを備える。カラー液晶表示部１８は、タッチパネル式ディスプレイであり、各種情報を表示する。操作部１９は、複数のハードウェアキー１９ａ，１９ｂ，１９ｃを有する。
【００１４】
図２は、加熱調理器１の正面から見た断面模式図である。図３は、図２のＩＩＩ−ＩＩＩ線に沿った断面模式図である。
【００１５】
図２及び図３を参照すると、加熱調理器１は、加熱手段として、加熱室１１の上部に設置された２つの上ヒータ２０Ａ，２０Ｂと、加熱室１１の下部に設置されたマイクロ波を発生させるマグネトロン（図示せず）とを備える。また、加熱室１１の両側面には、上部係止部１１ｂ及び下部係止部１１ｃが設けられている。上部係止部１１ｂは、トレイ３０を支持しており、トレイ３０上には、反射板（反射部材）４０と、被加熱物Ｆが載置された載置網５０とが配置されている。
【００１６】
上ヒータ２０Ａ，２０Ｂは、輻射式の加熱手段であり、例えば、石英管ヒータ又はシーズヒータである。また、上ヒータ２０Ａ，２０Ｂは、直管状であり、加熱室１１の左右方向に直線的に延びる直線部２１を有する。上ヒータ２０Ａの一方の端部は、加熱室１１の一方の側面に支持されており、上ヒータ２０Ａの他方の端部は、加熱室１１の他方の側面に支持されている。同様に、上ヒータ２０Ｂの一方の端部は、加熱室１１の一方の側面に支持されており、上ヒータ２０Ｂの他方の端部は、加熱室１１の他方の側面に支持されている。
【００１７】
上部係止部１１ｂ及び下部係止部１１ｃは、加熱室１１の前後方向に沿って延在し、トレイ３０を下方から支持するように加熱室１１の内側に向かって突出して設けられている。
【００１８】
図４は、トレイ３０の斜視図である。
【００１９】
図４を参照すると、トレイ３０は、角部が丸められた略矩形状の底面３１と、底面３１の周縁部の全周から立設された側面３２と、側面３２に連なって外側へ張り出したフランジ部３３とを有する。底面３１の中央部は上方に向けて僅かに張り出した凸面を有しており、上記凸面は、上方から見て略円形状である。トレイ３０は、表面塗装された鉄のような金属材料からなる。
【００２０】
図５は、反射板４０の斜視図である。また、図６は、反射板４０の側面図である。
【００２１】
図５及び図６を参照すると反射板４０は、矩形状の底部４１と、底部４１の対向する２つの辺４１ａから上方に向かって延びる一対の側部４２とを備える。また、反射板４０は、上ヒータ２０Ａ，２０Ｂ（図３参照）から輻射された輻射熱を反射する、例えば、表面が鏡面仕上げされたステンレス材料である。
【００２２】
側部４２は、底部４１に連なり、底部４１に対して外側かつ斜め上方に向かって延びた傾斜部分４３と、傾斜部分４３に連なり、底部４１に対して垂直に延びた矩形状の垂直部分４４とを備える。
【００２３】
傾斜部分４３は、底部４１に対して異なる角度の複数の傾斜面を有する。具体的には、傾斜部分４３は、底部４１に連なる第１傾斜面４３ａと、第１傾斜面４３ａに連なる第２傾斜面４３ｂとを備える。
【００２４】
第１傾斜面４３ａは、矩形状であり、底部４１と第２傾斜面４３ｂとを連結して、底部４１に対して外側かつ斜め上方に向かって延びている。
【００２５】
第２傾斜面４３ｂは、矩形状であり、第１傾斜面４３ａと垂直部分４４とを連結して、底部４１に対して外側かつ斜め上方に向かって延びている。
【００２６】
また、側部４２は、側部４２の上端４２ａから下端（底部４１に連なる端部）に向かって、底部４１に対する傾きが徐々に大きくなっている。具体的には、図６に示すように、第１傾斜面４３ａと底部４１とのなす角度（傾斜角度）θ１は、第２傾斜面４３ｂの傾斜角度θ２よりも大きい。
【００２７】
図７は、載置網５０の斜視図である。
【００２８】
図７を参照すると、載置網５０は、被加熱物Ｆ（図２及び図３に示す）を載置するための網状の載置面５１と、載置面５１を支持する矩形状の枠体５２とを備える。枠体５２は、対向する２つの辺が下方に曲折された一対の脚部５２ａと、他の対向する２つの辺である一対の枠部５２ｂとを有する。一対の枠部５２ｂの両端部は、互いに平行に延びる棒状である一対の第１支持部５１ａにより接続されている。また、一対の第１支持部５１ａは、互いに平行かつ略等間隔に配置された複数の第２支持部５１ｂにより連結されている。この複数の第２支持部５１ｂは、第１支持部５１ａの長手方向に対して直交している。また、複数の第２支持部５１ｂは、第２支持部５１ｂの長手方向略中央部において、第１支持部５１ａに平行な棒状の第３支持部５１ｃにより連結されている。
【００２９】
上記載置面５１は、第１支持部５１ａ、第２支持部５１ｂ、及び第３支持部５１ｃにより構成されている。
【００３０】
図８は、トレイ３０と、反射板４０と、載置網５０とを示す斜視図である。
【００３１】
図８を参照すると、反射板４０及び載置網５０は、トレイ３０の上に載置されている。反射板４０の底部４１は、トレイ３０の底面３１を上方から覆うように配置されており、載置網５０の載置面５１より下方に位置している。反射板４０の側部４２の上端４２ａは、載置網５０の載置面５１よりも上方に位置している。また、載置網５０の載置面５１は、反射板４０の２つの側部４２の内側に配置されている。
【００３２】
被加熱物Ｆの加熱調理を行う場合、図８に示すように、トレイ３０の上に反射板４０及び載置網５０を搭載する。そして、図２及び図３に示すように、載置網５０に被加熱物Ｆを載置して、トレイ３０、反射板４０、及び載置網５０と共に、被加熱物Ｆを加熱室１１内に収容する。
【００３３】
ここで、図２を参照すると、反射板４０の側部４２の上端４２ａの長手方向と、上ヒータ２０Ａ，２０Ｂの直線部２１の長手方向とが平行である。また、図３を参照すると、反射板４０の側部４２の上端４２ａは、窓１５の上端１５ａよりも上方に位置している。上ヒータ２０Ａ，２０Ｂは、反射板４０の傾斜部分４３の直上に位置している。前述したように、トレイ３０は、上部係止部１１ｂと係止して加熱室１１に収容されており、加熱室１１を上ヒータ２０Ａ，２０Ｂが配置されている上部空間と、下部空間とに仕切る。
【００３４】
この状態で、上ヒータ２０Ａ，２０Ｂが作動し、被加熱物Ｆの両面を輻射加熱する。具体的には、上ヒータ２０Ａ，２０Ｂから輻射された輻射熱の一部は、直接、又は加熱室１１の上面で反射され、被加熱物Ｆの上面に吸収されることで、被加熱物Ｆの上面を加熱する。また、上ヒータ２０Ａ，２０Ｂにより輻射された輻射熱の一部は、反射板４０の側部４２又は底部４１のうちの少なくとも一方により反射され、被加熱物Ｆの下面に吸収されることで、被加熱物Ｆの下面を加熱する。
【００３５】
被加熱物Ｆの下面を加熱する場合の上ヒータ２０Ａ，２０Ｂから輻射された輻射熱の進み方の具体例として、図９に示すようなものが挙げられる。例えば、上ヒータ２０Ａ，２０Ｂから下方に輻射され、上方から第２傾斜面４３ｂに入射する輻射熱Ｈ１は、第２傾斜面４３ｂ、第１傾斜面４３ａ、及び底部４１により反射され、被加熱物Ｆの下面に吸収されることで、被加熱物Ｆの下面を加熱する（破線参照）。例えば、上ヒータ２０Ａ，２０Ｂから下方に輻射され、上方から第１傾斜面４３ａに入射する輻射熱Ｈ２は、第１傾斜面４３ａにより反射され、被加熱物Ｆの下面に吸収されることで、被加熱物Ｆの下面を加熱する（一点鎖線参照）。例えば、上ヒータ２０Ａ，２０Ｂから下方に輻射され、上方から底部４１に入射する輻射熱Ｈ３は、底部４１により反射され、被加熱物Ｆの下面に吸収されることで、被加熱物Ｆの下面を加熱する（二点鎖線参照）。ここで、前述したように、載置面５１は網状であるため、載置面５１の下方より入射する輻射熱は、載置面５１で遮られることなく、被加熱物Ｆの下面を加熱する。
【００３６】
上記構成によれば、上ヒータ２０Ａ，２０Ｂは、被加熱物Ｆに対して、加熱室１１の上方から下方に向けて熱を輻射し、被加熱物Ｆを上方から加熱する。また、上ヒータ２０Ａ，２０Ｂから輻射された輻射熱の一部は、反射板４０の底部４１又は側部４２のうちの少なくとも一方で反射され、載置網５０に載置された被加熱物Ｆを下方から加熱する。つまり、上ヒータ２０Ａ，２０Ｂは、被加熱物Ｆの両面を加熱調理できる。このため、反射板４０よりも下方に被加熱物Ｆの下面を加熱調理するための下ヒータを別途設置する必要がなく、上ヒータ２０Ａ，２０Ｂによる輻射熱により被加熱物Ｆの両面を加熱調理できるため、被加熱物Ｆの両面を効率よく加熱調理できる。
【００３７】
また、上記実施形態では、上ヒータ２０Ａ，２０Ｂから輻射された輻射熱の一部は、傾斜部分４３の第１傾斜面４３ａ又は第２傾斜面４３ｂのうちの少なくとも一方で反射され、様々な角度で反射板４０の底部４１に入射する。このため、被加熱物Ｆの下面をむらなく加熱調理できる。
【００３８】
上記実施形態では、上ヒータ２０Ａ，２０Ｂの直線部２１の長手方向と、側部４２の上端４２ａの長手方向が平行であるため、側部４２に対向する上ヒータ２０Ａ，２０Ｂの面積が増加し、上ヒータ２０Ａ，２０Ｂから輻射されて反射板４０で反射される輻射熱が増加する。このため、上ヒータ２０Ａ，２０Ｂから輻射された輻射熱を有効に利用することができ、被加熱物Ｆを効率よく加熱調理できる。
【００３９】
上記実施形態では、上ヒータ２０Ａ，２０Ｂが傾斜部分４３の直上に位置することで、上ヒータ２０Ａ，２０Ｂから輻射されて反射板４０の傾斜部分４３に入射し、底部４１で反射される輻射熱が増加する。このため、被加熱物Ｆの下面を加熱する輻射熱が増加し、被加熱物Ｆの下面を効率よく加熱調理できる。
【００４０】
上記実施形態では、トレイ３０と反射板４０とが別体であるので、必要に応じてトレイ３０のみ又は反射板４０のみを使用した加熱調理ができ、ユーザの利便性を向上できる。
【００４１】
上記実施形態では、反射板４０の側部４２の上端４２ａが載置網５０の載置面５１よりも上方に位置するため、上ヒータ２０Ａ，２０Ｂから輻射されて反射板４０により反射される輻射熱を増加できる。このため、上ヒータ２０Ａ，２０Ｂから輻射された輻射熱を被加熱物Ｆの加熱に有効に利用でき、被加熱物Ｆを効率よく加熱調理できる。
【００４２】
上記実施形態では、上ヒータ２０Ａ，２０Ｂから輻射されて窓１５により吸収されたり窓１５を透過したりする輻射熱を低減できる。このため、上ヒータ２０Ａ，２０Ｂにより輻射された輻射熱を被加熱物Ｆの加熱に有効に利用できる、被加熱物Ｆを効率よく加熱調理できる。
【００４３】
上記実施形態では、トレイ３０と反射板４０により、加熱室１１の内部の空間を仕切ることで、上ヒータ２０Ａ，２０Ｂにより加熱される庫内容積を減少できるため、被加熱物Ｆを効率よく加熱調理できる。
【００４４】
［第２実施形態］
この発明の第２実施形態の加熱調理器１は、トレイ３０と反射板４０を除いて第１実施形態の加熱調理器と同一の構成をしており、図１〜図３を援用する。第２実施形態の加熱調理器１は、第１実施形態のトレイ３０の機能と反射板４０の機能とを有する単一の部材を備える。具体的には、第２実施形態の加熱調理器１は、上ヒータ２０Ａ，２０Ｂから輻射された輻射熱を反射する反射部材を備え、上記反射部材は、加熱された被加熱物Ｆから下方に落ちる油などを受けるトレイとしての機能も有し、上部係止部１１ｂ又は下部係止部１１ｃと係止して加熱室１１に収容される。
【００４５】
第２実施形態では、第１実施形態と同様の作用効果を奏する。
【００４６】
［第３実施形態］
この発明の第３実施形態に係る加熱調理器１は、反射板４０の側部４２を除いて第１実施形態の加熱調理器と同一の構成をしており、図１〜図６を援用する。第３実施形態の反射板４０の側部４２は、底部４１に対して、外側かつ斜め上方に向かって延びた傾斜部分４３のみを備える。つまり、第３実施形態の反射板４０の側部４２では、第１実施形態の垂直部分４４が、底部４１に対して外側かつ斜め上方に向かって延びている。
【００４７】
第３実施形態では、第１実施形態と同様の作用効果を奏する。
【００４８】
以上、本発明を好適な第１〜第３実施形態により説明してきたが、本発明は特定の実施形態に限定されるものではなく、特許請求の範囲に記載された本発明の要旨の範囲において、種々の変更が可能である。
【００４９】
例えば、上記第１〜第３実施形態では、上ヒータ２０Ａ，２０Ｂは、直管状のヒータであったが、これに限定されず、平面状、又はＵ字状のような他の形状であってもよい。
【００５０】
また、上ヒータ２０Ａ，２０Ｂが輻射した輻射熱の進行方向を規定するための反射笠のような部材を備えてもよい。
【００５１】
上記第１〜第３実施形態では、傾斜部分４３のそれぞれは、２つの傾斜面４３ａ，４３ｂを備えていたが、１つの傾斜面を備えてもよいし、３つ以上の傾斜面を備えてもよい。
【００５２】
反射板４０の底部４１は、上ヒータ２０Ａ，２０Ｂから輻射された輻射熱を拡散反射するように、凹凸のような形状を有してもよい。
【００５３】
また、上記第１〜第３実施形態では、トレイ３０は、上部係止部１１ｂにより係止されていたが、下部係止部１１ｃにより係止されてもよいし、加熱室１１の底面に載置されてもよい。
【００５４】
この発明および実施形態をまとめると、次のようになる。
【００５５】
本発明の一態様に係る加熱調理器１では、
被加熱物Ｆを収容する加熱室１１と、
上記加熱室１１の上部に配置され、上記被加熱物Ｆを加熱するための上ヒータ２０Ａ，２０Ｂと、
上記上ヒータ２０Ａ，２０Ｂから輻射された輻射熱を反射するための反射部材４０と、
上記反射部材４０の上方に配置され、上記被加熱物Ｆを載置する載置面５１を有する載置網５０と
を備え、
上記反射部材４０は、
上記載置面５１の下方に配置された矩形状の底部４１と、
上記底部４１の対向する２つの辺４１ａから上方に延びるように設けられた側部４２と
を備え、
上記側部４２は、上記底部４１の上記２つの辺４１ａから上記底部４１の外側かつ斜め上方に向かって延びた傾斜部分４３を有することを特徴とする。
【００５６】
上記構成によれば、上ヒータ２０Ａ，２０Ｂは、被加熱物Ｆに対して、加熱室１１の上方から下方に向けて輻射熱を輻射し、被加熱物Ｆを上方から加熱調理する。また、上ヒータ２０Ａ，２０Ｂから輻射された輻射熱の一部は、反射板４０の底部４１又は側部４２のうちの少なくとも一方で反射され、載置網５０に載置された被加熱物Ｆを下方から加熱する。つまり、上ヒータ２０Ａ，２０Ｂは、被加熱物Ｆの両面を加熱調理できる。このため、反射板４０よりも下方に被加熱物Ｆの下面を加熱調理するための下ヒータを別途設置する必要がなく、上ヒータ２０Ａ，２０Ｂによる輻射熱により被加熱物Ｆの両面を加熱調理できるため、被加熱物Ｆの両面を効率よく加熱調理できる。
【００５７】
１実施形態では、
上記反射部材４０の上記傾斜部分４３は、上記底部に対して異なる角度の複数の傾斜面４３ａ，４３ｂを有することを特徴とする。
【００５８】
上記実施形態では、上ヒータ２０Ａ，２０Ｂから輻射された輻射熱の一部は、傾斜部分４３の傾斜面４３ａ，４３ｂのうちの少なくとも１つにより反射されるため、様々な角度で反射板４０の底部４１に入射する。このため、被加熱物Ｆの下面をむらなく加熱調理できる。
【００５９】
１実施形態では、
上記上ヒータ２０Ａ，２０Ｂは、直線部２１を有しており、
上記直線部２１の長手方向と、上記反射部材４０の上記側部４２の上端の長手方向とが平行であることを特徴とする。
【００６０】
上記実施形態では、上ヒータ２０Ａ，２０Ｂの直線部２１の長手方向と、側部４２の上端の長手方向が平行であるため、側部４２に対向する上ヒータ２０Ａ，２０Ｂの面積が増加し、上ヒータ２０Ａ，２０Ｂから輻射されて反射板４０で反射される輻射熱が増加する。このため、上ヒータ２０Ａ，２０Ｂから輻射された輻射熱を有効に利用することができ、被加熱物Ｆを効率よく加熱調理できる
【００６１】
１実施形態では、
上記上ヒータ２０Ａ，２０Ｂの少なくとも一部は、上記傾斜部分４３の直上に位置していることを特徴とする。
【００６２】
上記実施形態では、上ヒータ２０Ａ，２０Ｂが傾斜部分４３の直上に位置することで、上ヒータ２０Ａ，２０Ｂから輻射されて反射板４０の傾斜部分４３に入射して底部４１で反射される輻射熱が増加する。このため、被加熱物Ｆの下面を加熱する輻射熱が増加し、被加熱物Ｆの下面を効率よく加熱調理できる。
【００６３】
１実施形態では、
上記反射部材４０は、トレイ３０の上に載置可能な反射板４０であることを特徴とする。
【００６４】
上記実施形態では、トレイ３０と反射板４０とが別体であるので、必要に応じてトレイ３０のみ又は反射板４０のみを使用した加熱調理ができ、ユーザの利便性を向上できる。
【００６５】
１実施形態では、
上記反射部材４０の上記側部４２の上端４２ａは、上記載置網５０の載置面５１よりも上方に位置することを特徴とする。
【００６６】
上記実施形態では、反射板４０の側部４２の上端が載置網５０の載置面５１よりも上方に位置するため、上ヒータ２０Ａ，２０Ｂから輻射されて反射板４０により反射される輻射熱を増加できる。このため、上ヒータ２０Ａ，２０Ｂから輻射された輻射熱を被加熱物Ｆの加熱に有効に利用でき、被加熱物Ｆを効率よく加熱調理できる。
【００６７】
１実施形態では、
上記加熱室１１の前方開口１１ａを開閉するドア１２が設けられており、
上記反射部材４０の上記側部４２の上端４２ａは、上記ドア１２の窓１５の上端よりも上方に位置することを特徴とする。
【００６８】
上記実施形態では、上ヒータ２０Ａ，２０Ｂから輻射されて窓１５により吸収されたり窓１５を透過したりする輻射熱を低減できる。このため、上ヒータ２０Ａ，２０Ｂにより輻射された輻射熱を被加熱物Ｆの加熱に有効に利用できるため、被加熱物Ｆを効率よく加熱調理できる。
【符号の説明】
【００６９】
１…加熱調理器
１０…本体ケーシング
１１…加熱室
１１ａ…前方開口
１１ｂ…上部係止部
１１ｃ…下部係止部
１２…ドア
１３…排気ダクト
１４…露受容器
１５…窓
１６…ハンドル
１７…操作パネル
１８…カラー液晶表示部
１９…操作部
１９ａ，１９ｂ，１９ｃ…ハードウェアキー
２０Ａ，２０Ｂ…上ヒータ
２１…直線部
３０…トレイ
３１…底面
３２…側面
３３…フランジ部
４０…反射板
４１…底部
４２…側部
４３…傾斜部分
４３ａ…第１傾斜面
４３ｂ…第２傾斜面
４４…垂直部分
５０…載置網
５１…載置面
５１ａ…第１支持部
５１ｂ…第２支持部
５１ｃ…第３支持部
５２…枠体
５２ａ…脚部
５２ｂ…枠部
【図１】
2019020031.tif 000003
【図２】
2019020031.tif 000004
【図３】
2019020031.tif 000005
【図４】
2019020031.tif 000006
【図５】
2019020031.tif 000007
【図６】
2019020031.tif 000008
【図７】
2019020031.tif 000009
【図８】
2019020031.tif 000010
【図９】
2019020031.tif 000011